(57)【特許請求の範囲】
【請求項１】
屋内の天井や壁に設置され、照明装置を取り付け可能な照明取付具と、
無線送信されたオーディオ信号を受信する信号受信手段を有し、前記照明取付具に取り付けられ、当該照明取付具を介して電源電力の供給を受けて、前記信号受信手段によって受信されたオーディオ信号によって駆動されて音を出力するスピーカ装置と、
オーディオ信号を生成するオーディオソースと、
前記オーディオソースによって生成されたオーディオ信号を、前記スピーカ装置の信号受信手段に向けて無線送信する信号送信手段と
を備え、
前記スピーカ装置は、
スピーカ筐体と、
前記スピーカ筐体の内部に設けられたウーハ部と、
前記ウーハ部の後方に配置され、前記ウーハ部から出力される音の高域をカットする低音調整板として機能するネットワーク基板と、
前記ネットワーク基板の後方に配置され、前記スピーカ筐体の内部に一端が設置されるバスレフダクトと、
前記スピーカ筐体の前方に突出して設けられるツィータ部と
を備える
ることを特徴とするスピーカ配設システム。
【請求項２】
屋内の天井や壁に設置され、当該天井や壁内に配線された屋内配線用ケーブルの一端に接続され、照明装置を取り付け可能な照明取付具と、
前記照明取付具に取り付けられ、当該照明取付具を介して電源電力の供給を受けて、前記屋内配線用ケーブルを介して入力されたオーディオ信号によって駆動されて音を出力するスピーカ装置と、
オーディオ信号を生成するオーディオソースと、
前記オーディオソースによって生成されたオーディオ信号を、前記屋内の天井や壁に設置され前記屋内配線用ケーブルの他端に接続された信号受信手段に向けて無線送信する信号送信手段と
を備え、
前記スピーカ装置は、
スピーカ筐体と、
前記スピーカ筐体の内部に設けられたウーハ部と、
前記ウーハ部の後方に配置され、前記ウーハ部から出力される音の高域をカットする低音調整板として機能するネットワーク基板と、
前記ネットワーク基板の後方に配置され、前記スピーカ筐体の内部に一端が設置されるバスレフダクトと、
前記スピーカ筐体の前方に突出して設けられるツィータ部と
を備えることを特徴とするスピーカ配設システム。
【請求項３】
前記オーディオ信号は、赤外線信号を含む所定の周波数帯の無線信号によって伝送される
請求項１または請求項２記載のスピーカ配設システム。
【請求項４】
屋内の天井や壁に設置され、当該天井や壁内に配線された屋内配線用電力線に接続され、照明装置を取り付け可能な照明取付具と、
前記照明取付具に取り付けられ、当該照明取付具を介して電源電力の供給を受けると共に、前記屋内配線用電力線に重畳されたオーディオ信号によって駆動されて音を出力するスピーカ装置と、
オーディオ信号を生成するオーディオソースと、
前記オーディオソースによって生成されたオーディオ信号を、前記屋内配線用電力線に接続された電源コンセントを介して当該屋内配線用電力線に重畳させて電力線搬送させる信号伝送手段と
を備え、
前記スピーカ装置は、
スピーカ筐体と、
前記スピーカ筐体の内部に設けられたウーハ部と、
前記ウーハ部の後方に配置され、前記ウーハ部から出力される音の高域をカットする低音調整板として機能するネットワーク基板と、
前記ネットワーク基板の後方に配置され、前記スピーカ筐体の内部に一端が設置されるバスレフダクトと、
前記スピーカ筐体の前方に突出して設けられるツィータ部と
を備えたことを特徴とするスピーカ配設システム。
【請求項５】
前記屋内配線用電力線は、互いに分離された複数の屋内配線用電力線からなり、
前記照明取付具及びスピーカ装置は、前記複数の屋内配線用電力線のそれぞれに設けられており、
前記複数の屋内配線用電力線間で前記オーディオ信号を送受信するための送受信装置を更に備える
ことを特徴とする請求項４記載のスピーカ配設システム。
【請求項６】
前記照明取付具は、前記照明装置及び前記スピーカ装置を移動自在に取り付け可能なライティングダクトである
請求項１から請求項５のうちいずれかに記載のスピーカ配設システム。
【請求項７】
屋内の天井や壁に設置され、照明装置を取り付け可能な照明取付具に取り付けられるスピーカ装置であって、
スピーカ筐体と、
前記スピーカ筐体の内部に設けられたウーハ部と、
前記ウーハ部の後方に配置され、前記ウーハ部から出力される音の高域をカットする低音調整板として機能するネットワーク基板と、
前記ウーハ部と前記ネットワーク基板の間に配される吸音材と、
前記ネットワーク基板の後方に配置され、前記スピーカ筐体の内部に一端が設置されるバスレフダクトと、
前記スピーカ筐体の前方に突出して設けられるツィータ部と
を備えることを特徴とするスピーカ装置。
【請求項８】
前記バスレフダクトは、中空の柱状に形成され、長手方向の一部が前記スピーカ筐体の後方に突出するように当該スピーカ筐体の後方に設けられた開口部に設置される
請求項７記載のスピーカ装置。
【発明の詳細な説明】
【技術分野】
【０００１】
本発明は、家屋における室内の天井や壁にスピーカ装置を配設するためのスピーカ配設システム及びスピーカ装置に関する。
【背景技術】
【０００２】
従来から、家屋や店舗などの屋内で音楽を流すために、屋内の天井に配設される照明装置が取付可能な照明取付具に、スピーカを取り付けるようにしたものがあった（例えば特許文献１参照）。特許文献１には、スピーカやダウンライトなどの付帯設備が２種以上配設可能な器具本体を備えた照明システムが開示されている。
【０００３】
【特許文献１】特開２００５−１５８３６３号公報
【発明の開示】
【発明が解決しようとする課題】
【０００４】
しかしながら、上述した特許文献１に開示された従来の照明システムでは、スピーカなどの付帯設備を配設する際の付帯設備の信号ケーブルや電源ケーブルの配線について何ら考慮されていないため、付帯設備のケーブルが広範囲に亘って天井から露出した状態となるおそれがあり、スピーカなどの付帯設備が配設された場合に露出したケーブルによって天井が乱雑になるおそれがあるという問題がある。
【０００５】
本発明は、このような点に鑑みてなされたもので、ケーブルの露出により天井が乱雑となることなく屋内の天井にスピーカを配設することが可能なスピーカ配設システム及びスピーカ装置を提供することを目的とする。
【課題を解決するための手段】
【０００６】
本発明に係るスピーカ配設システムは、屋内の天井や壁に設置され、照明装置を取り付け可能な照明取付具と、無線送信されたオーディオ信号を受信する信号受信手段を有し、前記照明取付具に取り付けられ、当該照明取付具を介して電源電力の供給を受けて、前記信号受信手段によって受信されたオーディオ信号によって駆動されて音を出力するスピーカ装置と、オーディオ信号を生成するオーディオソースと、前記オーディオソースによって生成されたオーディオ信号を、前記スピーカ装置の信号受信手段に向けて無線送信する信号送信手段とを備えることを特徴とする。このように構成することで、ケーブルの露出により天井が乱雑となることなく屋内の天井にスピーカを配設することができるようになる。
【０００７】
また、本発明に係るスピーカ配設システムは、屋内の天井や壁に設置され、当該天井や壁内に配線された屋内配線用ケーブルの一端に接続され、照明装置を取り付け可能な照明取付具と、前記照明取付具に取り付けられ、当該照明取付具を介して電源電力の供給を受けて、前記屋内配線用ケーブルを介して入力されたオーディオ信号によって駆動されて音を出力するスピーカ装置と、オーディオ信号を生成するオーディオソースと、前記オーディオソースによって生成されたオーディオ信号を、前記屋内の天井や壁に設置され前記屋内配線用ケーブルの他端に接続された信号受信手段に向けて無線送信する信号送信手段とを備えることを特徴とする。このように構成した場合であっても、ケーブルの露出により天井が乱雑となることなく屋内の天井にスピーカを配設することができるようになる。
【０００８】
前記オーディオ信号は、例えば、赤外線信号を含む所定の周波数帯の無線信号によって伝送される。
【０００９】
さらに、本発明に係るスピーカ配設システムは、屋内の天井や壁に設置され、当該天井や壁内に配線された屋内配線用電力線に接続され、照明装置を取り付け可能な照明取付具と、前記照明取付具に取り付けられ、当該照明取付具を介して電源電力の供給を受けると共に、前記屋内配線用電力線に重畳されたオーディオ信号によって駆動されて音を出力するスピーカ装置と、オーディオ信号を生成するオーディオソースと、前記オーディオソースによって生成されたオーディオ信号を、前記屋内配線用電力線に接続された電源コンセントを介して当該屋内配線用電力線に重畳させて電力線搬送させる信号伝送手段とを備えたことを特徴とする。このように構成した場合であっても、ケーブルの露出により天井が乱雑となることなく屋内の天井にスピーカを配設することができるようになる。
【００１０】
前記屋内配線用電力線は、互いに分離された複数の屋内配線用電力線からなり、前記照明取付具及びスピーカ装置は、前記複数の屋内配線用電力線のそれぞれに設けられており、前記複数の屋内配線用電力線間で前記オーディオ信号を送受信するための送受信装置を更に備える構成としてもよい。
【００１１】
前記照明取付具は、例えば、前記照明装置を移動可能に取り付け可能なライティングダクトであり、前記スピーカ装置が移動可能に取り付けられる。
【００１２】
本発明に係るスピーカ装置は、屋内の天井や壁に設置され、照明装置を取り付け可能な照明取付具に取り付けられるスピーカ装置であって、スピーカ筐体と、前記スピーカ筐体の内部に設けられたウーハ部と、前記スピーカ筐体の内部空間を分離するように配置されたネットワーク基板と、前記ウーハ部と前記ネットワーク基板の間に配される吸音材と、前記スピーカ筐体の内部に一端が設置されるバスレフダクトと、前記スピーカ筐体の前方に突出して設けられるツィータ部とを備えることを特徴とする。このように構成したことで、照明装置が取り付けられた場合と同様の室内外観となるようにスピーカ装置を取り付けることが可能となる。また、ネットワーク基板によって、吸音材の位置を安定させることができるとともに、ウーハ部の高域をカットすることができるようになる。
【００１３】
前記バスレフダクトは、中空の柱状に形成され、長手方向の一部が前記スピーカ筐体の後方に突出するように当該スピーカ筐体の後方に設けられた開口部に設置されることが望ましい。この場合、スピーカ筐体の空間を広くとることができるようになり、低音の音質を向上させることが可能となる。
【発明の効果】
【００１４】
本発明によれば、ケーブルの露出により天井が乱雑となることなく屋内の天井にスピーカを配設することができるようになる。
【発明を実施するための最良の形態】
【００１５】
以下、添付の図面を参照して、本発明に係るスピーカ配設システム及びスピーカ配設システムに配設されるスピーカ装置の実施形態について説明する。
【００１６】
［実施の形態１］
図１は、本発明の第１の実施形態に係るスピーカ配設システムの構成の例を示す説明図である。図１に示すように、本例のスピーカ配設システムは、家屋や店舗の屋内の天井１に固定設置されるライティングダクト（配線ダクト）１０と、ライティングダクト１０に着脱可能に取り付けられた照明装置２１，２２と、ライティングダクト１０に着脱可能に取り付けられたスピーカ装置３１，３２と、ディジタルオーディオプレーヤ４０と、赤外線送信機４１とを備えている。
【００１７】
ライティングダクト１０は、小型のスポットライトなどの照明装置２１，２２を任意の位置に取り付け可能な器具であり、取り付けられた照明装置２１，２２に対して電源電力を供給する構造を成している。このライティングダクト１０は、例えば、端部に設けられた図示しないフィードインキャップを介して取り込んだ電力を内部に敷設された一対の線状導線を介して照明装置２１，２２に供給可能な構造を成している。なお、ライティングダクト１０は、引っ掛けシーリングを介して電源コネクタに接続されていてもよい。
【００１８】
スピーカ装置３１，３２は、それぞれ、スピーカ本体３１ａ，３２ａと、スピーカ本体３１ａ，３２ａを保持してライティングダクト１０に取り付けるためのアーム３１ｂ，３２ｂ及びダクトホルダ３１ｃ，３２ｃと、アンプユニット３１ｄ，３２ｄとを含む。アンプユニット３１ｄ，３２ｄには、それぞれ、赤外線受信機と、アンプとが内蔵されている。本例では、スピーカ本体３１ａ，３２ａは、スポットライトなどの照明用の筐体を用いて製造されている。
【００１９】
本例では、図１に示すように、スピーカ装置３１，３２は、それぞれ、ライティングダクト１０に取り付けられている。そして、スピーカ装置３１，３２は、それぞれ、ライティングダクト１０にダクトホルダ３１ｃ，３２ｃを取り付けることによって、ライティングダクト１０と任意の位置で電気的に接続される。ダクトホルダ３１ｃ，３２ｃは、照明装置２１，２２用のものと同様、例えばＪＩＳ Ｃ ８３６６に規定されたものを用いることができる。
【００２０】
スピーカ装置３１，３２におけるオーディオ信号を伝送するための信号ケーブルは、それぞれ、アンプユニット３１ｄ，３２ｄからダクトホルダ３１ｃ，３２ｃを介してスピーカ本体３１ａ，３２ａに導入される。このため、オーディオ信号を伝送するための信号ケーブルは、外部に極力露出しないように配線されている。
【００２１】
図１に示す例では、ディジタルオーディオプレーヤ４０から出力されたオーディオ信号は、屋内の所定の位置に配置された赤外線送信機４１によって変調され無線送信される。無線送信されたオーディオ信号は、各スピーカ装置３１，３２のアンプユニット３１ｄ，３２ｄに内蔵されている赤外線受信機によって受信される。そして、受信されたオーディオ信号は、アンプユニット３１ｄ，３２ｄ内で復調されたのち増幅され、スピーカ本体３１ａ，３２ａから音声出力される。
【００２２】
上記の例では、ライティングダクト１０が天井１に設置されることとしていたが、ライティングダクト１０が室内の壁に取り付けられるものであってもよい。
【００２３】
上述した第１の実施の形態では、屋内の天井１や壁に設置され、照明装置２１，２２を取り付け可能な照明取付具（ライティングダクト１０）と、無線送信されたオーディオ信号を受信する信号受信手段（アンプユニット３１ｄ，３２ｄに内蔵されている赤外線受信機）を有し、照明取付具に取り付けられ、その照明取付具を介して電源電力の供給を受けて、信号受信手段によって受信されたオーディオ信号によって駆動されて音を出力するスピーカ装置３１，３２と、オーディオ信号を生成するオーディオソース（ディジタルオーディオプレーヤ４０）と、オーディオソースによって生成されたオーディオ信号を、スピーカ装置の信号受信手段に向けて無線送信する信号送信手段（赤外線送信機４１）とを備える構成としたので、ケーブルの露出により天井が乱雑となることなく屋内の天井にスピーカ装置を配設することができるようになる。
【００２４】
すなわち、照明装置２１，２２を取り付けるとともにその照明装置２１，２２に電源電力を供給するためのライティングダクト１０にスピーカ装置３１，３２を取り付け、ライティングダクト１０を介してスピーカ装置３１，３２に電力を供給する構成としたので、電源ケーブルの露出により天井が乱雑となることなく屋内の天井にスピーカ装置を配設することが可能となる。
【００２５】
また、赤外線受信機が内蔵されたアンプユニット３１ｄ，３２ｄを備えたスピーカ装置３１，３２を、ダクトホルダ３１ｃ，３２ｃによってライティングダクト１０に取り付け、ディジタルオーディオプレイヤ４０からのオーディオ信号を赤外線信号によりスピーカ装置３１，３２に無線送信する構成とし、赤外線受信機にて受信されたオーディオ信号がアンプユニット３１ｄ，３２ｄからダクトホルダ３１ｃ，３２ｃを介してスピーカ本体３１ａ，３２ａに導入される構成としたので、オーディオ信号を伝送するための信号ケーブルの露出により天井が乱雑となることなく屋内の天井にスピーカ装置を配設することが可能となる。
【００２６】
また、スピーカ装置を設置するための電源ケーブルやオーディオ信号ケーブルを新たに配線したり、電池を用いたりすることなく、既存の照明装置を設置するための設備を用いて容易にスピーカ装置を取り付けることが可能となる。すなわち、照明用のダクトを利用する構成としているので、スピーカ装置を設置するための電気工事を行うことなく、スピーカ装置を取り付けることが可能となる。
【００２７】
［実施の形態２］
図２は、本発明の第２の実施形態に係るスピーカ配設システムの構成の例を示す説明図である。図２に示すように、本例のスピーカ配設システムは、家屋や店舗の屋内の天井１に固定設置されるダウンライト用ホルダ１１，１２，１３，１４と、ダウンライト用ホルダ１１，１２に着脱可能に取り付けられたダウンライトなどの照明装置２３，２４と、ダウンライト用ホルダ１３，１４に着脱可能に取り付けられたスピーカ装置３３，３４と、ディジタルオーディオプレイヤ４０と、赤外線送信機４１と、屋内の壁２に設置されたアンプユニット５０とを備えている。なお、上述した第１の実施の形態におけるスピーカ配設システムと同様の構成及び動作をするものについては、同一の符号を付与してその詳細な説明を省略する。
【００２８】
ダウンライト用ホルダ１１，１２，１３，１４は、それぞれ、天井１に埋設され、ダウンライトなどの照明装置２３，２４を取り付け可能なボルダであり、取り付けられた照明装置２３，２４に対して電源電力を供給する構造を成している。このダウンライト用ホルダ１１，１２，１３，１４のうちダウンライト用ホルダ１３，１４は、それぞれ、天井１や壁２の中や裏に配線されている「Ｆケーブル」あるいは「ＶＡケーブル」と呼ばれるＶＶＦケーブル（平型ビニール絶縁ビニールシースケーブル）などの屋内配線用ケーブル３が導入されているジョイントボックス４に接続されている。なお、屋内配線用ケーブル３の種類は、どのようなものであってもよい。
【００２９】
また、ダウンライト用ホルダ１１，１２，１３，１４には、図示はしないが、取り付けられた照明装置２３，２４やスピーカ装置３３，３４に電源電力を供給するための電源ケーブルが天井１の中あるいは裏から導入されている。ダウンライト用ホルダ１１，１２，１３，１４は、取り付けられた照明装置２３，２４やスピーカ装置３３，３４に電源電力を供給可能な構造を成している。
【００３０】
スピーカ装置３３，３４は、それぞれ、スピーカ本体３３ａ，３４ａと、スピーカ本体３３ａ，３４ａを保持してダウンライト用ホルダ１３，１４に取り付けるためのアーム３３ｂ，３４ｂ及びダクトホルダ３３ｃ，３４ｃとを含む。本例では、スピーカ本体３３ａ，３４ａは、スポットライトなどの照明用の筐体を用いて製造されている。
【００３１】
本例では、図２に示すように、スピーカ装置３３，３４は、それぞれ、ダウンライト用ホルダ１３，１４に取り付けられている。スピーカ装置３３，３４は、それぞれ、ダウンライト用ホルダ１３，１４にダクトホルダ３３ｃ，３４ｃを取り付けることによって、電源ケーブル及び屋内配線用ケーブル３と電気的に接続される。電気的に接続されたスピーカ装置３３，３４は、それぞれ、ダウンライト用ホルダ１３，１４を介してダクトホルダ３３ｃ，３４ｃの取付部分から電源電力を取り込む。本例では、スピーカ本体３３ａ，３４ａに導入されている電源ケーブルは、それぞれ、ダクトホルダ３３ｃ，３４ｃ内に導かれており、外部に極力露出しないように配線されている。
【００３２】
スピーカ装置３３，３４におけるオーディオ信号を伝送するための信号ケーブルは、それぞれ、ダクトホルダ３３ｃ，３４ｃを介してスピーカ本体３３ａ，３４ａに導入される。このため、オーディオ信号を伝送するための信号ケーブルは、外部に極力露出しないように配線されている。なお、スピーカ装置３３，３４におけるオーディオ信号を伝送するための信号ケーブルは、ダウンライト用ホルダ１３，１４にダクトホルダ３３ｃ，３４ｃが取り付けられた際に、ダウンライト用ホルダ１３，１４からジョイントボックス４に導入されている信号ケーブルと電気的に接続される。
【００３３】
図２に示す例では、ディジタルオーディオプレイヤ４０から出力されたオーディオ信号は、屋内の所定の位置に配置された赤外線送信機４１によって無線送信される。無線送信されたオーディオ信号は、アンプユニット５０に内蔵されている赤外線受信機によって受信される。そして、受信されたオーディオ信号が、アンプユニット５０に内蔵されているアンプによって増幅され、屋内配線用ケーブル３及びジョイントボックス４を介してスピーカ装置３３，３４に導入され、スピーカ本体３３ａ，３４ａから音声出力される。
【００３４】
上述した第２の実施の形態では、屋内の天井１や壁２に設置され、天井１や壁２内に配線された屋内配線用ケーブル（例えばＦケーブル）３の一端に接続され、照明装置を取り付け可能な照明取付具（ダウンライト用ホルダ１３，１４）と、照明取付具に取り付けられ、その照明取付具を介して電源電力の供給を受けて、屋内配線用ケーブルを介して入力されたオーディオ信号によって駆動されて音を出力するスピーカ装置３３，３４と、オーディオ信号を生成するオーディオソース（ディジタルオーディオプレイヤ４０）と、オーディオソースによって生成されたオーディオ信号を、屋内の天井１や壁２に設置され屋内配線用ケーブル３の他端に接続された信号受信手段（アンプユニット５０に内蔵されている赤外線受信機）に向けて無線送信する信号送信手段（赤外線送信機４１）とを備える構成としたので、ケーブルの露出により天井が乱雑となることなく屋内の天井にスピーカ装置を配設することができるようになる。
【００３５】
すなわち、ダウンライトなどの照明装置を取り付けるとともにその照明装置に電源電力を供給するためのダウンライト用ホルダ１３，１４にスピーカ装置３３，３４を取り付け、ダウンライト用ホルダ１３，１４を介してスピーカ装置３３，３４に電力を供給する構成としたので、電源ケーブルの露出により天井が乱雑となることなく屋内の天井にスピーカ装置を配設することが可能となる。
【００３６】
また、赤外線受信機が内蔵されたアンプユニット５０を屋内配線用ケーブル３に接続し、その屋内配線用ケーブル３をジョイントボックス４に導入し、ジョイントボックス４及びダウンライト用ホルダ１３，１４を介してオーディオ信号をスピーカ装置３３，３４に伝送する構成とし、ディジタルオーディオプレイヤ４０からのオーディオ信号を赤外線信号によりアンプユニット５０に無線送信する構成とし、赤外線受信機にて受信されたオーディオ信号がアンプユニット５０から屋内配線用ケーブル３、ジョイントボックス４及びダウンライト用ホルダ１３，１４を介してスピーカ本体３３ａ，３４ａに導入される構成としたので、オーディオ信号を伝送するための信号ケーブルの露出により天井が乱雑となることなく屋内の天井にスピーカ装置を配設することが可能となる。
【００３７】
［実施の形態３］
図３は、本発明の第３の実施形態に係るスピーカ配設システムの構成の例を示す説明図である。図３に示すように、本例のスピーカ配設システムは、家屋や店舗の屋内の天井１に固定設置されるダウンライト用ホルダ１１，１２，１３，１４と、ダウンライト用ホルダ１１，１２に着脱可能に取り付けられたダウンライトなどの照明装置２３，２４と、ダウンライト用ホルダ１３，１４に着脱可能に取り付けられたスピーカ装置３５，３６と、ディジタルオーディオプレイヤ４０と、赤外線送信機４１とを備えている。なお、上述した第１の実施の形態及び第２の実施の形態におけるスピーカ配設システムと同様の構成及び動作をするものについては、同一の符号を付与してその詳細な説明を省略する。
【００３８】
本例では、ダウンライト用ホルダ１３，１４には、図示はしないが、取り付けられたスピーカ装置３５，３６に電源電力を供給するための電源ケーブルが天井１の中あるいは裏から導入されている。ダウンライト用ホルダ１３，１４は、取り付けられたスピーカ装置３５，３６に電源電力を供給可能な構造を成している。
【００３９】
スピーカ装置３５，３６は、それぞれ、スピーカ本体３５ａ，３６ａと、スピーカ本体３５ａ，３６ａを保持してダウンライト用ホルダ１３，１４に取り付けるためのアーム３５ｂ，３６ｂ及びダクトホルダ３５ｃ，３６ｃと、アンプユニット３５ｄ，３６ｄとを含む。アンプユニット３５ｄ，３６ｄには、それぞれ、赤外線受信機と、アンプとが内蔵されている。本例では、スピーカ本体３５ａ，３６ａは、スポットライトなどの照明用の筐体を用いて製造されている。
【００４０】
本例では、図３に示すように、スピーカ装置３５，３６は、それぞれ、ダウンライト用ホルダ１３，１４に取り付けられている。スピーカ装置３５，３６は、それぞれ、ダウンライト用ホルダ１３，１４にダクトホルダ３５ｃ，３６ｃを取り付けることによって、電源ケーブルと電気的に接続される。電気的に接続されたスピーカ装置３５，３６は、それぞれ、ダウンライト用ホルダ１３，１４を介してダクトホルダ３５ｃ，３６ｃの取付部分から電源電力を取り込む。本例では、スピーカ本体３５ａ，３６ａに導入されている電源ケーブルは、それぞれ、ダクトホルダ３５ｃ，３６ｃ内に導かれており、外部に極力露出しないように配線されている。
【００４１】
スピーカ装置３５，３６におけるオーディオ信号を伝送するための信号ケーブルは、それぞれ、アンプユニット３５ｄ，３６ｄからダクトホルダ３５ｃ，３６ｃを介してスピーカ本体３５ａ，３６ａに導入される。このため、オーディオ信号を伝送するための信号ケーブルは、外部に極力露出しないように配線されている。
【００４２】
図３に示す例では、ディジタルオーディオプレイヤ４０から出力されたオーディオ信号は、屋内の所定の位置に配置された赤外線送信機４１によって無線送信される。無線送信されたオーディオ信号は、各スピーカ装置３５，３６のアンプユニット３５ｄ，３６ｄに内蔵されている赤外線受信機によって受信される。そして、受信されたオーディオ信号が、各スピーカ装置３５，３６のアンプユニット３５ｄ，３６ｄに内蔵されているアンプによって増幅され、スピーカ本体３５ａ，３６ａから音声出力される。
【００４３】
上述した第３の実施の形態では、屋内の天井１や壁に設置され、照明装置２１，２２を取り付け可能な照明取付具（ダウンライト用ホルダ１３，１４）と、無線送信されたオーディオ信号を受信する信号受信手段（アンプユニット３５ｄ，３６ｄに内蔵されている赤外線受信機）を有し、照明取付具に取り付けられ、その照明取付具を介して電源電力の供給を受けて、信号受信手段によって受信されたオーディオ信号によって駆動されて音を出力するスピーカ装置３５，３６と、オーディオ信号を生成するオーディオソース（ディジタルオーディオプレーヤ４０）と、オーディオソースによって生成されたオーディオ信号を、スピーカ装置３５，３６の信号受信手段に向けて無線送信する信号送信手段（赤外線送信機４１）とを備える構成としたので、ケーブルの露出により天井が乱雑となることなく屋内の天井にスピーカ装置を配設することができるようになる。
【００４４】
すなわち、ダウンライトなどの照明装置を取り付けるとともにその照明装置に電源電力を供給するためのダウンライト用ホルダ１３，１４にスピーカ装置３５，３６を取り付け、ダウンライト用ホルダ１３，１４を介してスピーカ装置３５，３６に電力を供給する構成としたので、電源ケーブルの露出により天井が乱雑となることなく屋内の天井にスピーカ装置を配設することが可能となる。
【００４５】
また、赤外線受信機が内蔵されたアンプユニット３５ｄ，３６ｄを備えたスピーカ装置３５，３６を、ダクトホルダ３５ｃ，３６ｃによってダウンライト用ホルダ１３，１４に取り付け、ディジタルオーディオプレイヤ４０からのオーディオ信号を赤外線信号によりスピーカ装置３５，３６に無線送信する構成とし、赤外線受信機にて受信されたオーディオ信号がアンプユニット３５ｄ，３６ｄからダクトホルダ３５ｃ，３６ｃを介してスピーカ本体３５ａ，３６ａに導入される構成としたので、オーディオ信号を伝送するための信号ケーブルの露出により天井が乱雑となることなく屋内の天井にスピーカ装置を配設することが可能となる。
【００４６】
［実施の形態４］
図４は、本発明の第４の実施形態に係るスピーカ配設システムの構成の例を示す説明図である。図４に示すように、本例のスピーカ配設システムは、家屋や店舗の屋内の天井１に固定設置されるライティングダクト１０と、ライティングダクト１０に着脱可能に取り付けられた照明装置２１，２２と、ライティングダクト１０に着脱可能に取り付けられたスピーカ装置３１Ａ，３２Ａと、ディジタルオーディオプレイヤ４０と、無線送信機４２とを備えている。なお、上述した第１の実施の形態におけるスピーカ配設システムと同様の構成及び動作をするものについては、同一の符号を付与してその詳細な説明を省略する。
【００４７】
スピーカ装置３１Ａ，３２Ａは、それぞれ、スピーカ本体３１ａ，３２ａと、スピーカ本体３１ａ，３２ａを保持してライティングダクト１０に取り付けるためのアーム３１ｂ，３２ｂ及びダクトホルダ３１ｃ，３２ｃと、アンプユニット３１ｅ，３２ｅとを含む。アンプユニット３１ｅ，３２ｅには、それぞれ、無線受信機と、アンプとが内蔵されている。
【００４８】
本例では、無線送信機４２は、例えば２．４ＧＨｚ等の所定の周波数帯域の無線信号を送信する機能を有する。そして、アンプユニット３１ｅ，３２ｅに内蔵されている無線受信機は、少なくとも無線送信機４２によって送信される周波数帯域の無線信号を受信する機能を備えている。
【００４９】
スピーカ装置３１Ａ，３２Ａにおけるオーディオ信号を伝送するための信号ケーブルは、それぞれ、アンプユニット３１ｅ，３２ｅからダクトホルダ３１ｃ，３２ｃを介してスピーカ本体３１ａ，３２ａに導入される。このため、オーディオ信号を伝送するための信号ケーブルは、外部に極力露出しないように配線されている。
【００５０】
図４に示す例では、ディジタルオーディオプレイヤ４０から出力されたオーディオ信号は、屋内の所定の位置に配置された無線送信機４２によって無線送信される。無線送信されたオーディオ信号は、各スピーカ装置３１Ａ，３２Ａのアンプユニット３１ｅ，３２ｅに内蔵されている無線受信機によって受信される。そして、受信されたオーディオ信号が、各スピーカ装置３１Ａ，３２Ａのアンプユニット３１ｅ，３２ｅに内蔵されているアンプによって増幅され、スピーカ本体３１ａ，３２ａから音声出力される。
【００５１】
上述した第４の実施の形態では、屋内の天井１や壁に設置され、照明装置２１，２２を取り付け可能な照明取付具（ライティングダクト１０）と、無線送信されたオーディオ信号を受信する信号受信手段（アンプユニット３１ｅ，３２ｅに内蔵されている無線受信機）を有し、照明取付具に取り付けられ、その照明取付具を介して電源電力の供給を受けて、信号受信手段によって受信されたオーディオ信号によって駆動されて音を出力するスピーカ装置３１Ａ，３２Ａと、オーディオ信号を生成するオーディオソース（ディジタルオーディオプレーヤ４０）と、オーディオソースによって生成されたオーディオ信号を、スピーカ装置の信号受信手段に向けて無線送信する信号送信手段（無線送信機４２）とを備える構成としたので、ケーブルの露出により天井が乱雑となることなく屋内の天井にスピーカ装置を配設することができるようになる。
【００５２】
すなわち、照明装置２１，２２を取り付けるとともにその照明装置２１，２２に電源電力を供給するためのライティングダクト１０にスピーカ装置３１Ａ，３２Ａを取り付け、ライティングダクト１０を介してスピーカ装置３１Ａ，３２Ａに電力を供給する構成としたので、電源ケーブルの露出により天井が乱雑となることなく屋内の天井にスピーカ装置を配設することが可能となる。
【００５３】
また、無線受信機が内蔵されたアンプユニット３１ｅ，３２ｅを備えたスピーカ装置３１Ａ，３２Ａを、ダクトホルダ３１ｃ，３２ｃによってライティングダクト１０に取り付け、ディジタルオーディオプレイヤ４０からのオーディオ信号を無線信号によりスピーカ装置３１Ａ，３２Ａに送信する構成とし、無線受信機にて受信されたオーディオ信号がアンプユニット３１ｅ，３２ｅからダクトホルダ３１ｃ，３２ｃを介してスピーカ本体３１ａ，３２ａに導入される構成としたので、オーディオ信号を伝送するための信号ケーブルの露出により天井が乱雑となることなく屋内の天井にスピーカを配設することが可能となる。
【００５４】
［実施の形態５］
図５は、本発明の第５の実施形態に係るスピーカ配設システムの構成の例を示す説明図である。図５に示すように、本例のスピーカ配設システムは、家屋や店舗の屋内の１階及び２階の天井にそれぞれ固定設置されるライティングダクト１０と、１階に設置されたライティングダクト１０に着脱可能に取り付けられたスピーカ装置３１Ｂ，３２Ｂと、２階に設置されたライティングダクト１０に着脱可能に取り付けられたスピーカ装置３１Ｃ，３２Ｃと、ディジタルオーディオプレイヤ４０と、ディジタルオーディオプレイヤ４０に接続されたＰＬＣ（Power Line Communication）ユニット５１と、１階に設置されたＰＬＣユニット５１に接続された相間アダプタ６１と、２階フロア内に設けられている電源コンセントに接続された相間アダプタ６２とを備えている。なお、上述した第１〜第４の実施の形態におけるスピーカ配設システムと同様の構成及び動作をするものについては、同一の符号を付与してその詳細な説明を省略する。
【００５５】
本例では、ライティングダクト１０には、天井や壁の中や裏に配線されている屋内配線用ケーブル３ａ，３ｂが接続されている。なお、屋内配線用ケーブル３ａ，３ｂは、上述した屋内配線用ケーブル３と同じものである。屋内配線用ケーブル３ａは、ＰＬＣユニット５１の電源ケーブルが接続され、１階に設置されているライティングダクト１０と、分電盤５とに導入されている。屋内配線用ケーブル３ｂは、相間アダプタ６２の電源ケーブルが接続され、２階に設置されているライティングダクト１０と、分電盤５とに導入されている。本例では、ライティングダクト１０は、屋内配線用ケーブル３ａ，３ｂから照明用電源コネクタを介して取り込んだ電力を照明装置やスピーカ装置３１Ｂ，３２Ｂ，３１Ｃ，３２Ｃに供給可能な構造を成している。
【００５６】
スピーカ装置３１Ｂ，３２Ｂ，３１Ｃ，３２Ｃは、それぞれ、スピーカ本体３１ａ，３２ａと、アーム３１ｂ，３２ｂ及びダクトホルダ３１ｃ，３２ｃと、アンプユニット３１ｆ，３２ｆとを含む。アンプユニット３１ｆ，３２ｆには、それぞれ、ＰＬＣデコーダと、アンプとが内蔵されている。
【００５７】
スピーカ装置３１Ｂ，３２Ｂ，３１Ｃ，３２Ｃは、それぞれ、ライティングダクト１０にダクトホルダ３１ｃ，３２ｃを取り付けることによって、ライティングダクト１０と電気的に接続される。電気的に接続されたスピーカ装置３１Ｂ，３２Ｂ，３１Ｃ，３２Ｃは、それぞれ、照明用電源コネクタを介してライティングダクト１０が取り込んだ電力を、電源電力として、ライティングダクト１０を介してダクトホルダ３１ｃ，３２ｃの取付部分から取り込む。本例では、スピーカ本体３１ａ，３２ａに導入されている電源ケーブルは、それぞれ、ダクトホルダ３１ｃ，３２ｃ内に導かれており、外部に極力露出しないように配線されている。
【００５８】
スピーカ装置３１Ｂ，３２Ｂ，３１Ｃ，３２Ｃにおけるオーディオ信号を伝送するための信号ケーブルは、それぞれ、アンプユニット３１ｆ，３２ｆからダクトホルダ３１ｃ，３２ｃを介してスピーカ本体３１ａ，３２ａに導入される。このため、オーディオ信号を伝送するための信号ケーブルは、外部に極力露出しないように配線されている。
【００５９】
図５に示す例では、ディジタルオーディオプレイヤ４０から出力されたオーディオ信号は、屋内の所定の位置に配置されたＰＬＣユニット５１に入力される。ＰＬＣユニット５１は、オーディオ信号を１階フロアに設けられている電源コンセントを介して屋内配線用ケーブル３ａに伝送する。屋内配線用ケーブル３ａに導入されたオーディオ信号は、照明用電源コネクタを介して１階に設置されているライティングダクト１０に伝送されて、スピーカ装置３１Ｂ，３２Ｂが備えるアンプユニット３１ｆ，３２ｆに入力される。そして、入力されたオーディオ信号は、アンプユニット３１ｆ，３２ｆに内蔵されているアンプによって増幅され、スピーカ装置３１Ｂ，３２Ｂが備えるスピーカ本体３１ａ，３２ａから音声出力される。
【００６０】
また、ＰＬＣユニット５１は、ディジタルオーディオプレイヤ４０からのオーディオ信号を相間アダプタ６１に伝送する。相間アダプタ６１は、入力したオーディオ信号を無線送信する。１階フロアに設けられている相間アダプタ６１によって無線送信されたオーディオ信号は、２階フロアに設けられている相間アダプタ６２によって受信され、２階フロアに設けられている電源コンセントを介して屋内配線用ケーブル３ｂに伝送される。屋内配線用ケーブル３ｂに導入されたオーディオ信号は、照明用電源コネクタを介して２階に設置されているライティングダクト１０に伝送され、スピーカ装置３１Ｃ，３２Ｃが備えるアンプユニット３１ｆ，３２ｆに入力される。そして、入力されたオーディオ信号は、アンプユニット３１ｆ，３２ｆに内蔵されているアンプによって増幅され、スピーカ装置３１Ｃ，３２Ｃが備えるスピーカ本体３１ａ，３２ａから音声出力される。
【００６１】
上述した第５の実施の形態では、家屋における室内（例えば１階フロア内）の天井や壁に設置され、天井や壁内に配線された屋内配線用電力ケーブル（例えばＦケーブル）３ａ，３ｂにオーディオ信号を１０〜４５０ｋＨｚ程度の周波数の搬送波で変調した変調信号を重畳して伝送する電力線搬送（ＰＬＣ）技術を利用している。このシステムは、屋内配線用電力ケーブル３ａの一端に接続され、照明装置を取り付け可能な第１の照明取付具（１階フロアに設けられているライティングダクト１０）と、屋内配線用電力ケーブル３ａが接続されることなく屋内配線用電力ケーブル３ｂの一端に接続されて室内（例えば２階フロア内）の天井や壁に設置され、照明装置を取り付け可能な第２の照明取付具（２階フロアに設けられているライティングダクト１０）と、第１の照明取付具に取り付けられ、第１の照明取付具を介して電源電力の供給を受けて、屋内配線用電力ケーブル３ａを介して入力されたオーディオ信号が示す音を出力する第１のスピーカ装置３１Ｂ，３２Ｂと、第２の照明取付具に取り付けられ、第２の照明取付具を介して電源電力の供給を受けて、屋内配線用電力ケーブル３ｂを介して入力されたオーディオ信号が示す音を出力する第２のスピーカ装置３１Ｃ，３２Ｃと、記憶媒体に記憶されている音データからオーディオ信号を生成するオーディオ再生手段（ディジタルオーディオプレイヤ４０）と、オーディオ再生手段によって生成されたオーディオ信号を屋内配線用電力ケーブル３ａに接続された電源コンセントを介して屋内配線用電力ケーブル３ａに重畳させて電力線搬送させる信号伝送手段（ＰＬＣユニット５１）と、複数の屋内配線用ケーブル３ａ、３ｂ間でオーディオ信号を送受信するための送受信装置（相間アダプタ６１，６２）とを備える構成としたので、ケーブルの露出により天井が乱雑となることなく屋内の天井にスピーカ装置を配設することができるようになる。
【００６２】
また、相間アダプタ６１，６２によって無線信号によりオーディオ信号を送受信することで、互いに分離された複数の屋内配線用ケーブル３ａ、３ｂ間でオーディオ信号を送受信することができるようになり、オーディオ信号をあるフロアから別のフロアに伝送することが可能となる。よって、屋内配線用ケーブルが屋内において区分けされて配線されていた場合であっても、オーディオ信号を各フロアに無線配信することが可能となる。
【００６３】
なお、上述した各実施の形態においては特に言及していないが、配設された２つのスピーカ装置（例えばスピーカ装置３１，３２）によってステレオによる音出力を行うようにする場合には、左側からの音出力を担当するＬスピーカ装置あるいは右側からの音出力を担当するＲスピーカ装置にステレオ再生信号（オーディオ信号の一例）をまとめて送信し、自己が担当するオーディオ信号を取得するとともに、他方が担当するオーディオ信号を他方のスピーカ装置に無線送信あるいは有線送信するようにしてもよい。また、Ｌスピーカ装置及び右Ｒスピーカ装置それぞれにステレオ再生信号を送信し、各スピーカ装置で自己が担当するオーディオ信号を取得するようにしてもよい。この場合、各スピーカ装置に、Ｌスピーカ装置として使用するか、Ｒスピーカ装置として使用するか、モノラル再生用のスピーカ装置として使用するかを選択するためのスイッチを設けておき、そのスイッチ操作（リモートコントローラにより操作を含む）によってユーザが各スピーカ装置の担当を設定しておくようにしてもよい。
【００６４】
なお、上述した第５の実施の形態では、２階フロア内に設けられている電源コンセントに接続された相間アダプタ６２を含む構成としていたが、例えば図６に示すように、２階フロアに設けられているライティングダクト１０に取り付けられた相間アダプタ６３を含む構成としてもよい。この場合、１階フロアに設けられている相間アダプタ６１によって無線送信されたオーディオ信号は、２階フロアのライティングダクト１０に取り付けられている相間アダプタ６３によって受信され、ライティングダクト１０を経由してスピーカ装置３１Ｃ，３２Ｃが備えるアンプユニット３１ｆ，３２ｆに入力される。そして、入力されたオーディオ信号は、アンプユニット３１ｆ，３２ｆに内蔵されているＰＬＣデコーダ及びアンプによってデコード及び増幅され、スピーカ装置３１Ｃ，３２Ｃが備えるスピーカ本体３１ａ，３２ａから音声出力される。このように構成した場合であっても、同様に効果を得ることができる。
【００６５】
ここで、上述した各実施の形態において配設されたスピーカ装置３１〜３６，３１Ａ，３２Ａ，３１Ｂ，３２Ｂ，３１Ｃ，３２Ｃの構成について説明する。図７は、スピーカ装置３０の構成の例を示す側断面図である。図８は、スピーカ装置３０を前方から見た正面図である。スピーカ装置３０は、上述した各スピーカ装置３１〜３６，３１Ａ，３２Ａ，３１Ｂ，３２Ｂ，３１Ｃ，３２Ｃに共通する筐体及び筐体内部構成を有するスピーカ装置である。
【００６６】
スピーカ装置３０は、筐体３０１と、筐体３０１の前方に突出したツィータ部３０２と、中空の円柱状に形成され筐体３０１の後方に一部が突出したバスレフダクト３０３と、筐体３０１の左右に設けられ信号ケーブルが接続されるスピーカターミナル３０８ａ、３０８ｂとを備えている。筐体３０１は、照明装置の筐体と略同一の形状（同一の形状を含む。例えば、スポットライトやダウンライトの筐体と略同一の形状）に形成されているものとする。バスレフダクト３０３は、リングナット３０４により、筐体３０１の後方に設けられた開口部に長手方向の略中間部分が固定されている。バスレフダクト３０３の長手方向の略半分が筐体３０１の後方に突出するようにしているので、筐体３０１の内部空間を広く確保することができ、低音の音質を向上させることができるようになる。オーディオ信号や電源電力は、スピーカターミナル３０８ａ、３０８ｂを介して筐体３０１に導入される。
【００６７】
スピーカ装置３０の筐体３０１には、ネットワーク基板３０５と、フェルト（吸音材）３０６と、ウーハ部３０７とが収容されている。ネットワーク基板３０５は、図８及び図９に示すように、各種の回路部品３０５ａ，３０５ｂ，３０５ｃが筐体３０１の後方側に搭載される基板であって、上下に設けられた孔３０５ｄ，３０５ｅの部分で筐体３０１にネジ止めされる。このネットワーク基板３０５は、フェルト３０６の後方に配置されており、ウーハ部３０７の高域をカットする低音調整板（ローパスフィルタ）としての役割を担う。また、ネットワーク基板３０５は、フェルト３０６の後方に固定され、そのフェルト３０６が配される筐体３０１の前方とは反対の筐体３０１の後方側に回路部品３０５ａ，３０５ｂ，３０５ｃが搭載されるようにしているので、フェルト３０６の筐体３０１後方側への移動を抑えることができ、ウーハ部３０７とともにフェルトの位置を安定させる役割を担う。
【００６８】
上記のように、スピーカ装置３０の筐体３０１が、照明装置の筐体と略同一の形状に形成されているので、照明装置が取り付けられた場合と同様の室内外観となるようにスピーカ装置を取り付けることが可能となる。また、スピーカ装置３０において、ウーハ部３０７とネットワーク基板３０５の間にフェルト３０６を配置する構成としているので、ネットワーク基板３０５によって、フェルト３０６の位置を安定させることができるとともに、ウーハ部３０７の高域をカットすることができるようになる。
【００６９】
また、上記のように、バスレフダクト３０３が、バスレフダクト３０３の長手方向の一部が筐体３０１の後方に突出するように、筐体３０１の後方に設けられた開口部に設置されるようにしているので、筐体３０１の後方の内部空間を広くとることができるようになり、低音の音質を向上させることが可能となる。なお、上記の例では、バスレフダクト３０３が中空の円柱状に形成されるものとしていたが、角柱状などの他の柱状に形成されているものであってもよい。
【００７０】
なお、上述した各実施の形態を適宜組み合わせてスピーカ配設システムを構築するようにしてもよいことは勿論である。
【図面の簡単な説明】
【００７１】
【図１】本発明の第１の実施形態に係るスピーカ配設システムの例を示す説明図である。
【図２】本発明の第２の実施形態に係るスピーカ配設システムの例を示す説明図である。
【図３】本発明の第３の実施形態に係るスピーカ配設システムの例を示す説明図である。
【図４】本発明の第４の実施形態に係るスピーカ配設システムの例を示す説明図である。
【図５】本発明の第５の実施形態に係るスピーカ配設システムの例を示す説明図である。
【図６】本発明の第５の実施形態に係るスピーカ配設システムの他の例を示す説明図である。
【図７】スピーカ配設システムにて配設されるスピーカ装置の構成の例を示す側断面図である。
【図８】スピーカ装置を正面から見た正面図である。
【図９】ネットワーク基板の例を示す説明図である。
【符号の説明】
【００７２】
１…天井、２…壁、３，３ａ，３ｂ…屋内配線用ケーブル、４…ジョイントボックス、１０…ライティングダクト、２１〜２４…証明装置、３０〜３６，３１Ａ，３２Ａ，３１Ｂ，３２Ｂ，３１Ｃ，３２Ｃ…スピーカ装置、４０…ディジタルオーディオプレイヤ、４１…赤外線送信機、４２…無線送信機、３０１…筐体、３０２…ツィータ部、３０３…バスレフダクト、３０５…ネットワーク基板、３０６…フェルト、３０７…ウーハ部。
【図１】
0005168632.tif 000002
【図２】
0005168632.tif 000003
【図３】
0005168632.tif 000004
【図４】
0005168632.tif 000005
【図５】
0005168632.tif 000006
【図６】
0005168632.tif 000007
【図７】
0005168632.tif 000008
【図８】
0005168632.tif 000009
【図９】
0005168632.tif 000010